(57)【要約】【課題】スクミリンゴガイが用水路から水田内へ侵入又は流入することを防止しつつ、取水口の通水性を確保できるスクミリンゴガイ侵入防止網、該網を備えた用水路の取水口構造体を提供する。【解決手段】取水口構造体１は取水装置２と網体３を備えて成る構造体である。取水装置２は、通水管２１０と、ガイド体２３０（通水管２１０の一端側の開口部とフランジ状に固着され、ガイド体基部２３１と塞き止め板ガイド溝２３３と網体ガイド溝２３５により構成される）と、ガイド体基部２３１と、ガイド体基部２３１の両横側及び下側に設けられた塞き止め板ガイド溝２３３と、網体ガイド溝２３５と、塞き止め板２４０により構成されている。網体３は、籠状に形成された網部３１０と、網部周縁に設けられた枠体３２０により構成されている。【選択図】図１
0003129760.tif 000002
【実用新案登録請求の範囲】
【請求項１】
用水路の取水口(2,9)に取り付けるスクミリンゴガイの侵入防止網(1,5)であって、
該侵入防止網(1,5)は、通水可能に形成された網部(3,8)と、取水口への着脱手段(320,7)を備えており、
上記網部(3,8)は、取水口に取り付けた状態において取水口外方へ膨れた形状に形成されていることを特徴とする、
スクミリンゴガイ侵入防止網。
【請求項２】
用水路の取水口(2)への着脱手段は、網部(3)の周縁又は周縁の一部がフランジ状に形成されたもの(320)であることを特徴とする、
請求項１記載のスクミリンゴガイ侵入防止網。
【請求項３】
請求項２記載の着脱手段(320)を備えた網部(3)と、着脱手段のガイド部(230)を備えてなるスクミリンゴガイ侵入防止網であって、
上記着脱手段ガイド部(230)は、着脱手段(320)をスライドして差し入れできるように形成されたスリット部又は空間部(235)が設けられており、
既存の用水路の取水口(9)に着脱手段ガイド部(230)を取り付け、網部(3)を取着できるよう構成されていることを特徴とする、
スクミリンゴガイ侵入防止網。
【請求項４】
スクミリンゴガイ侵入防止網(1)を備えた用水路の取水口構造体(1)であって、該構造体(1)は、スクミリンゴガイ侵入防止網(3)と、スクミリンゴガイ侵入防止網の着脱手段(320)のガイド部(230)を備えており、
上記スクミリンゴガイ侵入防止網(3)は、通水可能に形成され、取水口(2)に取り付けた状態において取水口外方へ膨れた形状に形成された網部(310)と、網部(310)の周縁又は周縁の一部がフランジ状に形成された取水口への着脱手段(320)を備えており、
上記ガイド部(230)は、取水口(2)の近傍に設けられ、着脱手段(320)をスライドして差し入れできるように形成されたスリット部又は空間部(235)を備えており、
上記ガイド部(230)に上記スクミリンゴガイ侵入防止網(3)を取着して使用できるよう構成されていることを特徴とする、
スクミリンゴガイ侵入防止網を備えた用水路の取水口構造体。
【請求項５】
用水路の取水口(9)への着脱手段として、用水路の取水口、取水口周辺部又は堰板に掛着可能な鈎状体(7)を備えていることを特徴とする、
請求項１記載のスクミリンゴガイ侵入防止網。
【考案の詳細な説明】
【技術分野】
【０００１】
本考案は、スクミリンゴガイ侵入防止網及びスクミリンゴガイ侵入防止網を備えた用水路の取水口構造体に関する。更に詳しくは、用水路の取水口に取り付けるスクミリンゴガイ侵入防止網、および、スクミリンゴガイ侵入防止網を備えた用水路の取水口構造体であって、取水口に取り付けた状態において取水口外方へ膨らんだ形状を備える通水可能な網部と、用水路の取水口または堰板への着脱手段を備えたものに関する。
【背景技術】
【０００２】
水稲に対する有害生物として広く知られるスクミリンゴガイ（俗称：ジャンボタニシ）は、日本全国に分布している。特に、西日本において、スクミリンゴガイは大繁殖しており、その食害が顕著である。
スクミリンゴガイが水田に侵入する経路は幾つかあるが、特に用水路の取水口から侵入（稚貝等の流入を含む）するケースが多く見られる。
このようなスクミリンゴガイの侵入及び流入を防ぐ方法として、取水口に袋状の網を取着する方法を採用している場合が多く見受けられ、確かに大量のスクミリンゴガイが捕獲され、その侵入及び流入を防止している。
【考案の開示】
【考案が解決しようとする課題】
【０００３】
しかし、上述のようにスクミリンゴガイは繁殖力旺盛であるため、捕獲される数はかなりの数に上り、設置された袋状の網は捕獲されたスクミリンゴガイによって一晩で満杯になるようなこともある。
このようなスクミリンゴガイで満杯になった網は、通水性が悪くなって取水の妨げとなる場合もあるため、中のスクミリンゴガイを度々除去する必要があり、繁忙期の農業従事者にとって、大きな負担となっていた。
【０００４】
（考案の目的）
そこで、本考案の目的は、スクミリンゴガイが用水路から水田内へ侵入又は流入することを防止しつつ、取水口の通水性を確保できるスクミリンゴガイ侵入防止網を提供することにある。
また、本考案の他の目的は、スクミリンゴガイ侵入防止網を備えた用水路の取水口構造体を提供することにある
【課題を解決するための手段】
【０００５】
上記目的を達成するために講じた本考案の手段は次のとおりである。
第１の考案にあっては、
用水路の取水口(2,9)に取り付けるスクミリンゴガイの侵入防止網(1,5)であって、
該侵入防止網(1,5)は、通水可能に形成された網部(3,8)と、取水口への着脱手段(320,7)を備えており、
上記網部(3,8)は、取水口に取り付けた状態において取水口外方へ膨れた形状に形成されていることを特徴とする、
スクミリンゴガイ侵入防止網である。
【０００６】
第２の考案にあっては、
用水路の取水口(2)への着脱手段は、網部(3)の周縁又は周縁の一部がフランジ状に形成されたもの(320)であることを特徴とする、
第１の考案に係るスクミリンゴガイ侵入防止網である。
【０００７】
第３の考案にあっては、
第２の考案に係る着脱手段(320)を備えた網部(3)と、着脱手段のガイド部(230)を備えてなるスクミリンゴガイ侵入防止網であって、
上記着脱手段ガイド部(230)は、着脱手段(320)をスライドして差し入れできるように形成されたスリット部又は空間部(235)が設けられており、
既存の用水路の取水口(9)に着脱手段ガイド部(230)を取り付け、網部(3)を取着できるよう構成されていることを特徴とする、
スクミリンゴガイ侵入防止網である。
【０００８】
第４の考案にあっては、
スクミリンゴガイ侵入防止網(1)を備えた用水路の取水口構造体(1)であって、該構造体(1)は、スクミリンゴガイ侵入防止網(3)と、スクミリンゴガイ侵入防止網の着脱手段(320)のガイド部(230)を備えており、
上記スクミリンゴガイ侵入防止網(3)は、通水可能に形成され、取水口(2)に取り付けた状態において取水口外方へ膨れた形状に形成された網部(310)と、網部(310)の周縁又は周縁の一部がフランジ状に形成された取水口への着脱手段(320)を備えており、
上記ガイド部(230)は、取水口(2)の近傍に設けられ、着脱手段(320)をスライドして差し入れできるように形成されたスリット部又は空間部(235)を備えており、
上記ガイド部(230)に上記スクミリンゴガイ侵入防止網(3)を取着して使用できるよう構成されていることを特徴とする、
スクミリンゴガイ侵入防止網を備えた用水路の取水口構造体である。
【０００９】
第５の考案にあっては、
用水路の取水口(9)への着脱手段として、用水路の取水口、取水口周辺部又は堰板に掛着可能な鈎状体(7)を備えていることを特徴とする、
第１の考案に係るスクミリンゴガイ侵入防止網である。
【００１０】
本明細書及び本実用新案登録請求の範囲にいう「鈎状体」は、鈎先の形状として、例えば逆Ｌ字状、逆Ｊ字状、門型等が挙げられるが、当該形状に限定するものではなく、他の公知形状であってもよい。また、鈎状体は、高さ方向伸縮するものであってもよく、また、鈎先が軸方向に回転可能に形成されたものであってもよい。
【００１１】
（作  用）
本考案に係るスクミリンゴガイ侵入防止網及びスクミリンゴガイ侵入防止網を備えた用水路の取水口構造体の作用を説明する。
【００１２】
まず、用水路の取水口に、取水口への着脱手段を用いてスクミリンゴガイ侵入防止網を取り付ける。
なお、着脱手段が網部の周縁又は周縁の一部がフランジ状に形成されたものについては、取水口周辺に設けられた入水調整板のガイド部の隙間、または、取水口の近傍に設けられたスリット部又は空間部に、該フランジ状の着脱手段を差し入れる又は嵌め入れて取り付ける。
また、着脱手段が鈎状体であるものは、該鈎状体を取水口の上縁や取水口周辺部又は堰板等に引っ掛けて取り付ける。
【００１３】
そして、農業用水を取水口から水田に入れる。
この際に、用水路から取水口を通じてスクミリンゴガイが侵入しようとしても、取水口に設けられたスクミリンゴガイ侵入防止網の網部によって水田内への侵入が防止される。また、用水路から農業用水とともに流入するスクミリンゴガイについても、同様に上記網部によって水田内に流入することが防止される。
また、上記網部は取水口に取り付けた状態において取水口外方へ膨れた形状に形成されているため、水田内に侵入又は流入できなかったスクミリンゴガイは取水口及び網部に溜まらずに用水路を流されていく。
【００１４】
スクミリンゴガイ侵入防止網を清掃等する場合は、取り付ける場合と反対の手順により取り外して作業を行う。
【考案の効果】
【００１５】
本考案によれば、次の効果を奏する。
（１）スクミリンゴガイが用水路から水田内へ侵入又は流入することを防止しつつ、取水口の通水性を確保できるスクミリンゴガイ侵入防止網およびスクミリンゴガイ侵入防止網を備えた用水路の取水口構造体を提供することができる。これにより、スクミリンゴガイの食害及び農業従事者のスクミリンゴガイ駆除作業等の作業負担を軽減できる。
（２）用水路の取水口への着脱手段が網部の周縁又は周縁の一部がフランジ状に形成されたものは、取水口周辺に設けられた入水調整板のガイド部の隙間等に、該フランジ状の着脱手段を差し入れる又は嵌め入れるだけでよいため、作業工具等を必要とせずに簡単に取着することができる。
また、反対の手順により簡単に取り外すことができるので、網部を掃除する場合等の作業工程が減り、作業の負担が軽減される。
（３）スクミリンゴガイ侵入防止網とスクミリンゴガイ侵入防止網の着脱手段のガイド部を備えた用水路の取水口構造体は、ガイド部に形成されたスリット部にスクミリンゴガイ侵入防止網の着脱手段をスライドして差し入れでき、上記ガイド部に上記スクミリンゴガイ侵入防止網を取着して使用できるよう構成されているため、着脱の際に作業工具等を必要とせずに簡単に取着することができる。また、反対の手順により簡単に取り外すことができるので、網部を掃除する場合等の作業工程が減り、作業の負担が軽減される。
（４）用水路の取水口への着脱手段として用水路の取水口又は堰板に掛着可能な鈎状体を備えているものは、該鈎状体を使用することにより、取水口の様々な形状や構造、周辺環境等に対応することができ、汎用性が高い。
（５）第２の考案に係る着脱手段を備えた網部と着脱手段のガイド部を備えてなるものは、既存の用水路の取水口に着脱手段ガイド部を取り付けることにより、網部を取着できるので、既存の用水路の取水口をそのまま利用しつつ、簡易且つ安価で、スクミリンゴガイの食害及び農業従事者のスクミリンゴガイ駆除作業等の作業負担を軽減できる。
【考案を実施するための最良の形態】
【００１６】
［第一の実施の形態］
本考案の第一の実施の形態を図面に基づき更に詳細に説明する。
図１は本考案に係る取水口構造体１の分解斜視説明図、
図２は本考案に係る取水口構造体１の正面図、
図３は本考案に係る取水口構造体１のＡ−Ａ’断面図、
図４は本考案に係る取水口構造体１のＢ−Ｂ’断面図、である。
【００１７】
まず図１乃至図４に示す取水口構造体１について説明する。
取水口構造体１は、取水装置２と網体３を備えて成る構造体である。
【００１８】
取水装置２は、通水管２１０とガイド体２３０を備えている。
通水管２１０は、一対の開口部を有する円筒状であって、一端側の開口部とガイド体２３０がフランジ状に固着されている。
【００１９】
ガイド体２３０は、ガイド体基部２３１と、塞き止め板ガイド溝２３３と、網体ガイド溝２３５により構成されている。
【００２０】
ガイド体基部２３１は、縦長の長方形の板状体であって、下方に円形の開口部が設けられており、該開口部と通水管２１０の一端側の開口部がフランジ状に固着されている。
ガイド体基部２３１の両横側及び下側には、内方に向かって凹状に開口して形成された塞き止め板ガイド溝２３３と網体ガイド溝２３５が設けられており、上記塞き止め板ガイド溝２３３と網体ガイド溝２３５は、通水管２１０が固着された面と反対側の面に設けられている。図１において、塞き止め板ガイド溝２３３は奥側（ガイド体基部２３１側）に形成されており、網体ガイド溝２３５は、手前側に形成されている。
【００２１】
塞き止め板２４０は、塞き止め板ガイド溝２３３に差し入れた状態で摺動可能な所要幅及び板厚を備える平板により形成されている。
塞き止め板２４０の高さ方向上縁には、幅方向にわたって塞き止め板把持部２４１が設けられている。
【００２２】
網体３は、網部３１０と枠体３２０から構成されている。
網部３１０は、籠状に形成されており、設置時に通水管２１０側に面する部分が開口し、該開口部の周縁に沿って枠体３２０が設けられている。
枠体３２０は、平板状であって、網体ガイド溝２３５に差し入れた状態で摺動可能な所要幅及び板厚に形成されている（図１参照）。
【００２３】
なお、本実施の形態においては、上記取水装置２は主に合成樹脂材により形成されているが、当該素材に限定するものではなく、例えば、木材、竹材、金属、石材等の公知材料により形成しても良い。なお、ステンレススチールやアルミニウム等の金属材、石材等の耐腐食性を備えるものであればより好適である。
【００２４】
また、本実施の形態においては、上記網体３は主にステンレススチールにより形成されているが、当該素材に限定するものではなく、例えば、アルミニウム等の金属材、合成樹脂材、木材、竹材等の公知材料により形成しても良い。なお、耐腐食性を備えるものであればより好適である。
【００２５】
（作  用）
図５は本考案に係る取水口構造体１の使用状態を説明するＡ−Ａ’図である。
図１乃至図５を参照して、取水口構造体１の作用を説明する。
【００２６】
［使用時］
図５に示す取水口構造体１は、取水装置２と網体３を組み合わせて用水路に設置された状態であり、塞き止め板２４０が開放されている。図５に示す取水口構造体１の状態において、農業用水は、用水路から網部３１０及び通水管２１０を通じて水田に流入している。
この際に、用水路から通水管２１０を通ってスクミリンゴガイが侵入しようとしても、取水口構造体１に設けられた網部３１０によって水田内へ侵入することができない。また、用水路から農業用水とともに流入するスクミリンゴガイ（稚貝を含む）についても、同様に上記網部３１０によって水田内に流入しない。
【００２７】
また、上記網体３は、取水装置２に取り付けた状態において取水装置２外方（用水路側）へ膨れた形状に形成されているため、水田内に侵入又は流入できなかったスクミリンゴガイが通水管２１０や網部３１０に溜まることなく用水路を流されていく。そのため、溜まったスクミリンゴガイが通水管２１０や網部３１０を塞がないので、除去する手間が省け、作業負担が軽減される。
【００２８】
［網体の取り外し時又は不使用時］
藻等の汚れが付着したため網体３を清掃する場合、または、水田に水を入れる必要がない時期等は、以下の手順にて作業を行う。
（１）塞き止め板２４０を塞き止め板ガイド溝２３３下端に当たるまで押し下げて通水管２１０を塞ぎ、用水の流入を止める。
（２）網体ガイド溝２３５に沿って網体３の枠体３２０を上方向にスライドさせて網体３を取り外し、網体３の清掃等を行う。
（３）清掃終了後または春になって取水口構造体１を利用する場合は、上記手順と反対の手順により網体３を取着する。
【００２９】
上記作業工程において、取水口構造体１から網体３を着脱するために作業工具等を必要とせず、また簡単に着脱することができるので、作業工程が少なく、農業従事者の作業負担が軽減される。
【００３０】
なお、本実施の形態では、網体ガイド溝２３５を設け、当該溝に網体３にかかる枠体３２０を差し入れる又は嵌め入れて取り付ける構造を備えるが、当該構造に限定するものではなく、例えば、塞き止め板ガイド溝２３３を厚み方向へ幅広に形成し、該溝と嵌入した塞き止め板２４０の間に形成された隙間に、網体３にかかる枠体３２０を差し入れる又は嵌め入れて取り付けることができるよう形成した構造であってもよい。
【００３１】
［第二の実施の形態］
本考案の第二の実施の形態に係るスクミリンゴガイの侵入防止網５を、図面に基づき更に詳細に説明する。
図６は本考案に係る侵入防止網の正面図、
図７は本考案に係る侵入防止網の背面図、
図８は本考案に係る侵入防止網の平面図、
図９は本考案に係る侵入防止網の底面図、
図１０は本考案に係る侵入防止網のＡ−Ａ’断面図、
図１１は侵入防止網に係る係止体の動きの説明図、である。
侵入防止網５は、フレーム６と、一対の係止体７と、網部８を備えており、各部について以下詳述する。
【００３２】
フレーム６は、棒状体により形成され、平面視及び底面視において台形に形成された上下のフレーム（図８及び図９参照）と、該上下のフレームの各角部を高さ方向に繋ぐフレームにより構成されており、上記高さ方向のフレームのうち、上下フレームの鋭角を構成する各角部に配されたものは、ガイドフレーム６２０，６２１を構成する（図６乃至図９参照）。
【００３３】
ガイドフレーム６２０，６２１は、内部に空間を有する筒状体であって、上端に開口した孔を有し、後述の係止体７に係る係止体軸部７４０が挿入可能に形成されている。
上記ガイドフレーム６２０，６２１は、フレーム６の上部に突き出た部分を有し、該突き出た部分の高さ方向中程の側面には貫通孔が設けられ、該貫通孔に軸固定ネジ６４０，６４１が螺着してある。
【００３４】
図１０を参照する。各係止体７は、係止体軸部７２０，７２１と、鈎部７４０，７４１を備えている。
係止体軸部７２０，７２１は棒状体により形成され、一端側（上部に位置する）に側面視門型に曲げて形成された鈎部７４０，７４１が設けられている。
係止体軸部７２０，７２１は、ガイドフレーム６２０，６２１上部に設けられた孔に挿入され、摺動して上下に出し入れ可能に形成されており、また、鈎部７４０，７４１が軸方向に回転可能に形成されている。
【００３５】
網部８は、フレーム６の正面、両側面、底面を覆うように設けてあり、上部及び背面部には配されていない。
【００３６】
なお、本実施の形態においては、侵入防止網は主にステンレススチールにより形成されているが、当該素材に限定するものではなく、例えば、アルミニウム等の金属材、合成樹脂材、木材、竹材等の公知材料により形成しても良い。なお、耐腐食性を備えるものであればより好適である。
【００３７】
また、本実施の形態においては、網部はフレームの正面、両側面、底面を覆うように設けてあり、上部及び背面部には配されていないが、当該形態に限定するものではなく、例えば、全面（正面、両側面、底面、上部及び背面部）を覆うように設けたものであってもよい。
【００３８】
（作  用）
図１２は本考案に係る侵入防止網の一部を切り欠いて示す使用状態説明図である。図６乃至図１２を参照して、侵入防止網５の作用を説明する。
【００３９】
なお、本実施の形態において利用する取水口９は、取水管９２０と、ガイド部９４０と、入水調整板９６０を備えている。
取水管９２０は一対の開口部を有する円筒状であって、一端側の開口部とガイド部９４０がフランジ状に固着されている。
ガイド部９４０は、下方に円形の開口部が設けられた縦長の長方形の板状体であって、ガイド部９４０の両横及び下側には、内方に向かって凹状に開口して形成されたガイド溝（符号省略）が設けられている。
入水調整板９６０は、板状体であって、上記ガイド溝に差し入れた状態で摺動可能な所要幅及び板厚を備える平板により形成されている。
【００４０】
［設置時］
まず、用水路の取水口９に、係止体７を用いて侵入防止網５を取り付ける。
具体的には、軸固定ネジ６４０，６４１を緩めて係止体７の係止体軸部７２０，７２１を伸縮させ、取り付けに好適な長さに合わせる。その後、軸固定ネジ６４０，６４１を締めて係止体軸部７２０，７２１の位置を固定する。
そして、鈎部７４０，７４１を取水口９の上縁や取水口周辺部又は堰板等に引っ掛けて取り付ける（図１２では取水口９が設けられた用水路壁上部に引っ掛けている）。
なお、用水路と水田を隔てる土手が土の場合は、上記鈎部７４０，７４１を土手部分に突き立てて取り付けしても良い。
また、侵入防止網５を清掃等する場合は、取り付ける場合と反対の手順により取り外して作業を行う。
【００４１】
［使用時］
侵入防止網５の取付作業後、入水調整板９６０を開放し、取水管９２０を通じて、農業用水を用水路から水田に入れる。
この際に、用水路から取水管９２０を通じてスクミリンゴガイが侵入しようとしても、取水口９に設けられた侵入防止網５の網部８によって水田内への侵入できない。また、用水路から農業用水とともに流入するスクミリンゴガイについても、同様に上記網部８によって水田内に流入できない。
また、上記侵入防止網５は取水口９に取り付けた状態において取水口９外方（用水路側）へ膨れた形状に形成されているため、水田内に侵入又は流入できなかったスクミリンゴガイは取水管９２０及び網部８に溜まらずに用水路を流されていく。そのため、溜まったスクミリンゴガイが通水管２１０や網部３１０を塞がないので、除去する手間が省け、作業負担が軽減される。なお、侵入防止網５の取着及び取り外し作業において、作業工具等を必要としないので、網部を掃除する場合等の作業工程が減り、作業の負担が軽減される。更に、係止体７の使用により、取水口の様々な形状や構造、周辺環境等に対応することができ、汎用性が高い。
【００４２】
本明細書及び実用新案登録請求の範囲で使用している用語と表現は、あくまでも説明上のものであって、なんら限定的なものではなく、本明細書及び実用新案登録請求の範囲に記述された特徴およびその一部と等価の用語や表現を除外する意図はない。また、本考案の技術思想の範囲内で、種々の変形態様が可能であるということは言うまでもない。
【図面の簡単な説明】
【００４３】
【図１】本考案に係る取水口構造体の分解斜視説明図。
【図２】本考案に係る取水口構造体の正面図。
【図３】本考案に係る取水口構造体のＡ−Ａ’断面図。
【図４】本考案に係る取水口構造体のＢ−Ｂ’断面図。
【図５】本考案に係る取水口構造体の使用状態を説明するＡ−Ａ’図。
【図６】本考案に係る侵入防止網の正面図。
【図７】本考案に係る侵入防止網の背面図。
【図８】本考案に係る侵入防止網の平面図。
【図９】本考案に係る侵入防止網の底面図。
【図１０】本考案に係る侵入防止網のＡ−Ａ’断面図。
【図１１】侵入防止網に係る係止体の動きの説明図。
【図１２】本考案に係る侵入防止網の一部を切り欠いて示す使用状態説明図。
【符号の説明】
【００４４】
１      取水口構造体
２      取水装置
２１０  通水管
２３０  ガイド体
２３１  ガイド体基部
２３３  塞き止め板ガイド溝
２３５  網体ガイド溝
２４０  塞き止め板
２４１  塞き止め板把持部
３      網体
３１０  網部
３２０  枠体
５      侵入防止網
６      フレーム
６２０，６２１  ガイドフレーム
６４０，６４１  軸固定ネジ
７      係止体
７２０，７２１  係止体軸部
７４０，７４１  鈎部
８      網部
９      取水口
９２０  取水管
９４０  ガイド部
９６０  入水調整板
【図１】
0003129760.tif 000003
【図２】
0003129760.tif 000004
【図３】
0003129760.tif 000005
【図４】
0003129760.tif 000006
【図５】
0003129760.tif 000007
【図６】
0003129760.tif 000008
【図７】
0003129760.tif 000009
【図８】
0003129760.tif 000010
【図９】
0003129760.tif 000011
【図１０】
0003129760.tif 000012
【図１１】
0003129760.tif 000013
【図１２】
0003129760.tif 000014
【手続補正書】
【提出日】平成18年12月26日(2006.12.26)
【手続補正１】
【補正対象書類名】実用新案登録請求の範囲
【補正対象項目名】全文
【補正方法】変更
【補正の内容】
【実用新案登録請求の範囲】
【請求項１】
用水路の取水口(2,9)に取り付けるスクミリンゴガイの侵入防止網(1,5)であって、
該侵入防止網(1,5)は、通水可能に形成された網部(3,8)と、取水口への着脱手段(320,7)を備えており、
上記網部(3,8)は、取水口に取り付けた状態において取水口外方へ膨れた形状に形成されていることを特徴とする、
スクミリンゴガイ侵入防止網。
【請求項２】
用水路の取水口(2)への着脱手段は、網部(310)の周縁又は周縁の一部がフランジ状に形成されたもの(320)であることを特徴とする、
請求項１記載のスクミリンゴガイ侵入防止網。
【請求項３】
用水路の取水口(2,9)に取り付けるスクミリンゴガイの侵入防止網であって、
該侵入防止網は、通水可能に形成された網部(310)と取水口への着脱手段(320)を備える網(3)と、着脱手段のガイド部(230)を備えており、
上記網部(310)は、取水口に取り付けた状態において取水口外方へ膨れた形状に形成されており、
上記用水路の取水口への着脱手段(320)は、網部(310)の周縁又は周縁の一部がフランジ状に形成されたものであり、
上記着脱手段のガイド部(230)は、網部(3)の着脱手段(320)をスライドして差し入れできるように形成されたスリット部又は空間部(235)が設けられており、
既存の用水路の取水口に着脱手段のガイド部(230)を取り付け、網(3)を取着できるよう構成されていることを特徴とする、
スクミリンゴガイ侵入防止網。
【請求項４】
スクミリンゴガイ侵入防止網を備えた用水路の取水口構造体(1)であって、該構造体(1)は、スクミリンゴガイ侵入防止網(3)と、スクミリンゴガイ侵入防止網の着脱手段(320)のガイド部(230)を備えており、
上記スクミリンゴガイ侵入防止網(3)は、通水可能に形成され、取水口(2)に取り付けた状態において取水口外方へ膨れた形状に形成された網部(310)と、網部(310)の周縁又は周縁の一部がフランジ状に形成された取水口への着脱手段(320)を備えており、
上記ガイド部(230)は、取水口(2)の近傍に設けられ、着脱手段(320)をスライドして差し入れできるように形成されたスリット部又は空間部(235)を備えており、
上記ガイド部(230)に上記スクミリンゴガイ侵入防止網(3)を取着して使用できるよう構成されていることを特徴とする、
スクミリンゴガイ侵入防止網を備えた用水路の取水口構造体。
【請求項５】
用水路の取水口(9)への着脱手段として、用水路の取水口、取水口周辺部又は堰板に掛着可能な鈎状体(7)を備えていることを特徴とする、
請求項１記載のスクミリンゴガイ侵入防止網。
【手続補正２】
【補正対象書類名】明細書
【補正対象項目名】０００６
【補正方法】変更
【補正の内容】
【０００６】
第２の考案にあっては、
用水路の取水口(2)への着脱手段は、網部(310)の周縁又は周縁の一部がフランジ状に形成されたもの(320)であることを特徴とする、
第１の考案に係るスクミリンゴガイ侵入防止網である。
【手続補正３】
【補正対象書類名】明細書
【補正対象項目名】０００７
【補正方法】変更
【補正の内容】
【０００７】
第３の考案にあっては、
用水路の取水口(2,9)に取り付けるスクミリンゴガイの侵入防止網であって、
該侵入防止網は、通水可能に形成された網部(310)と取水口への着脱手段(320)を備える網(3)と、着脱手段のガイド部(230)を備えており、
上記網部(310)は、取水口に取り付けた状態において取水口外方へ膨れた形状に形成されており、
上記用水路の取水口への着脱手段(320)は、網部(310)の周縁又は周縁の一部がフランジ状に形成されたものであり、
上記着脱手段のガイド部(230)は、網部(3)の着脱手段(320)をスライドして差し入れできるように形成されたスリット部又は空間部(235)が設けられており、
既存の用水路の取水口に着脱手段のガイド部(230)を取り付け、網(3)を取着できるよう構成されていることを特徴とする、
スクミリンゴガイ侵入防止網である。